(57)【要約】【課題】羽毛等の軽量の詰物を封入した掛寝具にあって、ベッド或いは高いマットレス等の敷寝具に使用した際にずれ難く、かつ、身体にフィットし易い掛け寝具を得る。【解決手段】本発明掛布団は、表側地と、裏側地とを、その間に介在させた長手方向及び、横方向の襠布で縫着することで、格子状に区画された複数の小区画室を形成した掛布団において、横方向の側地幅において表地が裏地の幅より１．１乃至１．５倍の長さとしている。【選択図】図１
2005342410.tif 000002
【特許請求の範囲】
【請求項１】
表側地と、裏側地とを、その間に介在させた長手方向及び、横方向の襠布で縫着することで、格子状に区画された複数の小区画室を形成した掛布団において、横方向の側地幅において表地が裏地の幅より１．１乃至１．５倍の長さを有していることを特徴とする掛布団。
【請求項２】
表側地と、裏側地との間に布団の長手方向に添って設けた経方向襠布を、経方向中心線を対称軸としてその左右両側の経方向襠布を逆八字状に上方の開いたものとし、片側に複数の経方向襠布を有する場合、経方向中心線から離れる位置にある襠布は前記中心線に近い位置にある襠布と同等或はそれ以上の傾斜角を有して上方が開いた傾斜としたことを特徴とする請求項１記載の掛布団。
【請求項３】
経方向中心線を対称軸として、その両側に配した経方向襠布の高さを前記中心線より離れる程低くしたことを特徴とする請求項１記載の掛布団。
【発明の詳細な説明】
【技術分野】
【０００１】
本発明は、就寝時ずれが生じ難く、かつ、身体にフィットし易い掛け布団に関する。
【背景技術】
【０００２】
掛け布団等の掛け寝具は就寝者を覆い就寝者の周囲に断熱或いは保温領域を形成し、寝床内気象を快適にするために使用されるのが一般で、表地と裏地とを襠布で隔離し、その間に構成した小区画室内に羽毛或いは、天然その他のわたを封入しているのが普通である。
【０００３】
そして、これらの小区画を構成した布団にあって、詰物を小区画に封入した場合布団を平面に展開すれば全面が均等にふくらむが、布団が身体を覆ったとき、身体の丸味によって布団の裏側地はたるみ、また身体側に位置する詰物は圧迫され布団内部での保気量も減少し、保温性を損うようなことも発生した。
【０００４】
そのために、布団が身体を覆った際に布団の身体側に位置する詰物が圧迫を受けることが少なく、ボリューム感を確保できるように単位区画にあって布団の身体側の生地即ち裏側地にゆとりを持たせ表地より面積を大きくすることで、布団は裏側地側に    膨らんだ形状となり、身体に接する部位の生地に余裕を持たせ身体の体形に対応して布団が曲げられても、単位区画それぞれが膨化した状態を保つことが出来るようにした寝具（特許文献１）が考えられた。
【０００５】
然し、裏側地の面積を表地の面積よりも大きくすると、例えば長さ方向中心線を中心として幅方向左右の布団地を逆Ｕ字形に折り曲げたような場合左右の布団地の端部は両側に開くように屈曲したカーブを見せることになり、これは布団使用中就寝者に布団側が接近しようとするのとは反対に離れる方向に屈曲することになり就寝者への密着度の面からは離れることになる。また、ベッドでの使用中にずれ落ちの現象を生ずる恐れがある。
【０００６】
また、就寝時、布団がしぼんだ状態で就寝者にフィットするように掛布団の長さ方向の中心線と幅方向の中心線のそれぞれに向かって中央部が膨らんだ曲線状のキルティングを施すことによって、就寝時中央部が盛り上がっても掛布団の側部が身体側に引き寄せられることでフィットする掛布団（特許文献２）が考えられた。
【０００７】
然し、この布団にあって、長さ方向中心線と幅方向中心線との交差する中央部位に向い布団の側地が引き寄せられる動きをし、身体の周囲はキルト生地が位置することになり羽毛布団にはなじまない。
【特許文献１】実開平１−８００６４号公報
【特許文献２】特開２００３−３３９５０１号公報
【発明の開示】
【発明が解決しようとする課題】
【０００８】
本発明は上記の点に鑑みて、羽毛等の軽量の詰物を封入した掛寝具にあって、ベッド或いは高いマットレス等の敷寝具に使用した際にずれ難く、かつ、身体にフィットし易い掛け寝具を得ることを目的とする。
【課題を解決するための手段】
【０００９】
本発明掛布団は、表側地と、裏側地とを、その間に介在させた長手方向及び、横方向の襠布で縫着することで、格子状に区画された複数の小区画室を形成した掛布団において、横方向の側地幅において表地が裏地の幅より１．１乃至１．５倍の長さとしている。
【発明の効果】
【００１０】
本発明掛布団は、表側地と、裏側地とを、その間に介在させた長手方向及び、横方向の襠布で縫着することで、格子状に区画された複数の小区画室を形成した掛布団において、横方向の側地幅において表地が裏地の幅より１．１乃至１．５倍の長さとしたために本発明掛布団をベッド等に使用した場合、裏側地より幅方向に長い表側地が裏側地をベッドに対してまくれ込ませるような作用をし、掛布団のずれ落ちを防止する効果を生ずる。
【００１１】
また、本発明掛布団にあっては、表側地と、裏側地との間に布団の長手方向に添って設けた経方向襠布を、経方向中心線を対称軸としてその左右両側の経方向襠布を逆八字状に上方の開いたものとし、片側に複数の経方向襠布を有する場合、経方向中心線から離れる位置にある襠布は前記中心線に近い位置にある襠布と同等或はそれ以上の傾斜角を有して上方が開いた傾斜としたために、ベッド等に使用した場合就寝者の両側で垂れ下がった布団内では、上方が開いた襠布の傾斜のために、当該襠布と表裏側地で囲われた小室内の詰物は表側地側に寄って小室内で下方に移動するため、布団を外側から内側即ち表地側から裏地側方向へ押すような作用が働き、布団自体の妄らな動きが阻止され、ずれ等が生じにくい。
【００１２】
更に、経方向中心線を対称軸として、その両側に配した経方向襠布の高さを前記中心線より離れる程低くしたために、布団両側端部のドレープ性を高め、ベッド等での使用時使用者の寝姿勢，ベッドの形状等による外因形態によく添うことが出来る。
【発明を実施するための最良の形態】
【００１３】
本発明を実施するための最良の形態を図面と共に次に説明する。
本発明掛布団１は、表側地２，裏側地３の間に、布団の長手方向に延びる経方向襠布４と布団の幅方向に延びる緯方向襠布５とによって格子状に組んだ小室６を構成して、襠布４，５の端縁を折り返して該部を表裏側地２，３に縫着している。経方向襠布４と緯方向襠布５との交差するポイントには経方向襠布４に添って、羽毛を小室６に封入するための羽毛送気管を通過させるための通過孔（図示せず）が設けられている。
【００１４】
図示した例は経方向襠布４が４枚、緯方向襠布５が３枚用いられ１２の小室６が作られている。
１つの小室６ａの緯方向襠布５ａは表側地２と接する上縁７の長さは下縁８の長さより長い。１つの緯方向襠布の上縁の長さは下縁の長さの１．１乃至１．５倍としている。上縁の長さが下縁の長さの１．１倍未満であると裏地側への表地の廻り込みが少なく、掛布団としてベッド等に使用した際の布団端部の押さえに欠ける点が見られ、緯方向襠布の上縁７の長さが下縁８の長さの１．５倍を越えると使用時に布団の展開が充分にされにくく、フィット性に劣るようになる。
【００１５】
前記の上縁７と下縁８の長さの差はあらかじめ各小室６の幅に応じて各小室６ごとに切断された襠布５とするか、布団の幅方向全体を通して構成された長尺の襠布５とするか適宜である。後者の場合長尺の襠布５の下縁８の一部に切れ込みを入れ該部を重ね合わせることで下縁８の長さを短くする手段も考えられる。また、前者の場合は各小室６の側断面形状に従った形状の襠布５を各小室ごとに用いても良い。
【００１６】
上記経方向襠布４と緯方向襠布５とによる小室６の構成時、経方向襠布４を表側地２と裏側地３との間で傾斜した状態に設ける。即ち、小室６ａの表側地２と接する緯方向襠布５の上縁７ａは同じく裏側地３と接する緯方向襠布下縁８ａの長さより長くすることで経襠布４ａ，４ｂは逆八字状に上方が同角度に開いたものとし、その両側の経襠幅４ｅ，４ｄは更に開いた角度により襠布を傾斜させている。そして、掛布団１の外側に位置する経襠布の方が内側に位置するものよりその高さを低くすることにより、掛布団１の中央部の小室の詰物充填量を外側の小室の充填量より多くしている。この構成により布団両側端部のドレープ性を高め得ることが出来、ベッドでの使用時などにおいて、使用者の寝姿勢ベッドの大きさ等に上がる外因形態によく添うことが出来るようにしている。
【００１７】
表側地２と裏側地３とはその周縁９で一体に縫い綴じされるが、布団端部の断面形状をコ字状の角張ったものとせず、円弧を画いた形状とする際には、経方向襠布４の端部を若干折り返し１０、表側地２と裏側地８との間にイセ込むようにして表側地２，裏側地３，襠布５を一体に縫い合わせる。
【００１８】
上記の縫製により図１Ａに示す正面形状の掛布団が作られる。
上記の構成により図２に示すように就寝時、敷寝具の側部に添い易く、フィット性を向上し、ずれ落ちの恐れのない掛寝具を得ることが出来る。
【図面の簡単な説明】
【００１９】
【図１】本発明掛布団を示し、Ａは一部切除した状態の縦断正面図、Ｂは一部表側地を取り去った状態の平面図。
【図２】本発明掛布団をベッドに使用した状態を示す正面図。
【符号の説明】
【００２０】
１  掛布団
２  表側地
３  裏側地
４  経方向襠布
５  緯方向襠布
６  小室
７  襠布の上縁
８  襠布の下縁
９  周縁
１０  折り返し
【図１】
2005342410.tif 000003
【図２】
2005342410.tif 000004